(57)【特許請求の範囲】
【請求項１】
全開状態とされた引戸が納められる袖壁構造であって、
袖壁の幅寸法に応じて互いに間隔を空けて配設される一対の縦枠材の互いに対向する内側面において同高さ位置にそれぞれ設けられたダボ状突起が、これら一対の縦枠材と同厚さとされるとともに長さ寸法の調整が可能なように切断可能とされ、かつ、四周側面の一側面において開口する凹溝が長手方向の全長に亘って形成された横桟用角状材を切断して形成された横桟材の凹溝の両側端部にそれぞれ嵌め込まれ、該横桟材が一対の縦枠材間に架設されて袖壁下地が形成されており、前記横桟材の厚さ方向両側面に当接させるようにして前記袖壁下地の厚さ方向両側面のそれぞれに面材が固定された構造とされていることを特徴とする袖壁構造。
【請求項２】
請求項１において、
前記一対の縦枠材に設けられた各ダボ状突起は、これら縦枠材の下端から１７００〜１９００ｍｍの高さの範囲内に設けられており、前記横桟材が配設される部位において、前記袖壁下地の厚さ方向両側面のそれぞれに固定された面材の両方または一方が上下に分割されていることを特徴とする袖壁構造。
【請求項３】
請求項１または２において、
前記一対の縦枠材の上端部同士を接続するように上枠材が設けられ、これら一対の縦枠材の下端部同士を接続するように下枠材が設けられた構造とされており、
これら上下の枠材には、互いに向き合う方向に開口する受入溝が長手方向に沿って形成され、前記一対の縦枠材の上下端部には、前記上下の枠材の各受入溝にそれぞれ長手方向に沿ってスライド自在に係合する係合突片部がそれぞれ形成されていることを特徴とする袖壁構造。
【請求項４】
請求項１乃至３のいずれか１項において、
前記袖壁下地の厚さ方向両側面のそれぞれに固定された面材のうちの一方の面材は、その一側端部が前記引戸の戸尻側に設けられた戸尻側の戸縦枠に当該面材の厚さ方向で重合するように該戸縦枠に厚さ方向一方面を当接させるようにして固定された構造とされており、
前記一対の縦枠材のうちの一方の縦枠材は、前記一方の面材の厚さ方向他方面に沿うように固定されるとともに、該一方の面材の一側端部を厚さ方向一方面側から当該縦枠材に固定する止具の止代を形成するように前記戸縦枠の戸先側側面よりも戸先側に向けて突出するように設けられた構造とされていることを特徴とする袖壁構造。
【発明の詳細な説明】
【技術分野】
【０００１】
本発明は、全開状態とされた引戸が納められる袖壁構造に関する。
【背景技術】
【０００２】
従来の全開状態とされた引戸が納められる袖壁構造としては、袖壁幅寸法（引戸幅寸法）が一定ではないため、施工現場において発生した端材等を利用して、袖壁下地を形成し、その表裏面に石膏ボード等の壁面材を貼着して袖壁を形成する構造とされていた。このような構造では、端材の加工や袖壁下地の形成など施工現場において多くの作業が必要となり、施工性の改善が望まれていた。
例えば、下記特許文献１では、建築物の引戸を収納する引戸用小壁の施工方法が提案されている。
この施工方法では、矩形状に予め組み立てられた軸組を、開口枠体の中方立に当接させて開口部に固定する。次いで、軸組と略同一の厚みとされた縦軸を、引戸の移動する左右方向に軸組に並べて開口枠体の外枠材に当接させて開口部に固定する。そして、これら左右方向に沿って並べられた軸組と縦軸の表面及び裏面にボードを貼り付けて引戸用小壁を施工する態様とされている。
【先行技術文献】
【特許文献】
【０００３】
【特許文献１】特開２００５−２２６３１３号公報
【発明の概要】
【発明が解決しようとする課題】
【０００４】
しかしながら、上記特許文献１に記載された小壁では、左右方向に沿って並べられる軸組と縦軸との間が中空となるため、強度上の観点から更なる改善が望まれていた。
【０００５】
本発明は、上記実情に鑑みてなされたものであり、幅寸法の調整が可能でありながらも強度を向上し得る袖壁構造を提供することを目的としている。
【課題を解決するための手段】
【０００６】
上記目的を達成するために、本発明に係る袖壁構造は、全開状態とされた引戸が納められる袖壁構造であって、袖壁の幅寸法に応じて互いに間隔を空けて配設される一対の縦枠材の互いに対向する内側面において同高さ位置にそれぞれ設けられたダボ状突起が、これら一対の縦枠材と同厚さとされるとともに長さ寸法の調整が可能なように切断可能とされ、かつ、四周側面の一側面において開口する凹溝が長手方向の全長に亘って形成された横桟用角状材を切断して形成された横桟材の凹溝の両側端部にそれぞれ嵌め込まれ、該横桟材が一対の縦枠材間に架設されて袖壁下地が形成されており、前記横桟材の厚さ方向両側面に当接させるようにして前記袖壁下地の厚さ方向両側面のそれぞれに面材が固定された構造とされていることを特徴とする。
【０００７】
本発明においては、前記一対の縦枠材に設けられた各ダボ状突起を、これら縦枠材の下端から１７００〜１９００ｍｍの高さの範囲内に設け、前記横桟材が配設される部位において、前記袖壁下地の厚さ方向両側面のそれぞれに固定された面材の両方または一方が上下に分割されているものとしてもよい。
また、本発明においては、前記一対の縦枠材の上端部同士を接続するように上枠材を設け、これら一対の縦枠材の下端部同士を接続するように下枠材を設けた構造とし、これら上下の枠材に、互いに向き合う方向に開口する受入溝を長手方向に沿って形成し、前記一対の縦枠材の上下端部に、前記上下の枠材の各受入溝にそれぞれ長手方向に沿ってスライド自在に係合する係合突片部をそれぞれ形成してもよい。
また、本発明においては、前記袖壁下地の厚さ方向両側面のそれぞれに固定された面材のうちの一方の面材を、その一側端部が前記引戸の戸尻側に設けられた戸尻側の戸縦枠に当該面材の厚さ方向で重合するように該戸縦枠に厚さ方向一方面を当接させるようにして固定した構造とし、前記一対の縦枠材のうちの一方の縦枠材を、前記一方の面材の厚さ方向他方面に沿うように固定するとともに、該一方の面材の一側端部を厚さ方向一方面側から当該縦枠材に固定する止具の止代を形成するように前記戸縦枠の戸先側側面よりも戸先側に向けて突出するように設けた構造としてもよい。
【発明の効果】
【０００８】
本発明に係る袖壁構造は、上述のような構成としたことで、幅寸法の調整が可能でありながらも強度を向上させることができる。
【図面の簡単な説明】
【０００９】
【図１】（ａ）、（ｂ）は、いずれも本発明の一実施形態に係る袖壁構造の一例を模式的に示し、（ａ）は、図２におけるＸ−Ｘ線矢視に対応させた一部破断概略横断面図、（ｂ）は、図２におけるＹ−Ｙ線矢視に対応させた一部破断概略縦断面図である。
【図２】同袖壁構造を模式的に示す一部破断概略正面図である。
【図３】同袖壁構造に用いられる袖壁ユニットの一例を模式的に示す概略分解斜視図である。
【図４】（ａ）、（ｂ）は、いずれも同袖壁構造の施工手順の一例を模式的に示し、（ａ）は、概略斜視図、（ｂ）は、図１（ａ）に対応させた一部破断概略横断面図である。
【図５】（ａ）、（ｂ）は、いずれも同施工手順を模式的に示し、（ａ）は、概略斜視図、（ｂ）は、図１（ｂ）に対応させた一部破断概略縦断面図である。
【図６】（ａ）〜（ｃ）は、いずれも同施工手順を模式的に示し、（ａ）は、（ｃ）におけるＺ部に対応させた一部破断部分拡大概略斜視図、（ｂ）は、一部破断概略正面図、（ｃ）は、概略斜視図である。
【図７】（ａ）、（ｂ）は、同施工手順をそれぞれ模式的に示す概略斜視図である。
【図８】同施工手順を模式的に示す概略斜視図である。
【発明を実施するための形態】
【００１０】
以下に本発明の実施の形態について、図面に基づいて説明する。
なお、一部の図では、他図に付している詳細な符号の一部を省略している。
また、以下の実施形態では、図１（ａ）に示すＶ方向から見た状態を基準として、図１（ａ）における上側を背面（裏面）側、下側を手前（表面）側として、その方向等を原則的に説明する。
【００１１】
図１〜図８は、本実施形態に係る袖壁構造の一例を模式的に示す図である。
本実施形態に係る袖壁構造は、図１及び図２に示すように、全開状態とされた引戸３が納められる（引き込まれる）構造とされている。この袖壁構造は、建物内に設けられた開口部４に、袖壁ユニット１を用いて形成された袖壁下地１０を配設した構造とされている（図３も参照）。図例では、袖壁下地１０によって一枚からなる片引き式の引戸３を納める袖壁を形成した例を示している。
【００１２】
開口部４は、間柱や柱等の左右の縦枠下地５，５と、横桟やまぐさ等の上枠下地６と、床下地（または床材）とによって正面視して略矩形状に形成されている（図３参照）。
この開口部４の内周面に沿うようにして、引戸３を建て付ける戸枠２が配設される。
開口部４の開口幅は、開口部４に配設された戸枠２に建て付けられる引戸３が開閉自在にスライドし得るように引戸３の戸幅及び戸枠２の厚さ（引戸３の戸幅と同方向に沿う厚さ）に応じて設定される。本実施形態のように袖壁納めで施工される片引き式の引戸３を例にすれば、開口部４の開口幅は、当該引戸３の戸幅の略２倍程度の幅寸法とされる。
【００１３】
戸枠２は、一対の縦枠２１，２２（戸先側縦枠２１及び戸尻側縦枠（戸尻側の戸縦枠）２２）と、これら縦枠２１，２２の上端部間に架設された上枠（鴨居）２０と、これら縦枠２１，２２間の略中央部に設けられた中間縦枠（中方立）２３とを備えている（図４（ｂ）も参照）。
上枠２０は、その下面側に、引戸３のスライド移動を案内する上吊レールや案内溝を長手方向に沿って有している。図例では、上枠２０の下面側に下方に向けて開口する凹溝を設け、該凹溝に上吊レール２０ａを配設した上枠２０を示している。また、この上枠２０の戸先側部位は、開口部４の戸先側に形成される内壁７の壁厚に対応させた幅寸法（壁厚方向の寸法、見込み方向の寸法、前後寸法）とされた幅広部とされている。また、この上枠２０の戸尻側部位は、袖壁ユニット１を用いて形成される袖壁の壁厚を加味して上記幅広部よりも幅の狭い幅狭部とされている。また、この上枠２０の幅広部と幅狭部とを区切る長手方向略中央部には、中方立２３の上端部が係合する切欠部が形成されている。
【００１４】
戸先側縦枠２１は、上枠２０の上記幅広部に応じた幅寸法（前後寸法）とされている。この戸先側縦枠２１は、開口部４の戸先側の内側面に沿うように上下方向に沿って配設される。
戸尻側縦枠２２は、上枠２０の上記幅狭部に応じた幅寸法（前後寸法）とされている。この戸尻側縦枠２２は、開口部４の戸尻側（袖壁側）の内側面に沿うように上下方向に沿って配設される。これら戸先側縦枠２１及び戸尻側縦枠２２には、引戸３の戸先側端部及び戸尻側端部をそれぞれに受け入れる戸じゃくり溝が上下方向に沿って形成されている。
中方立２３は、開口部４の左右方向略中央位置において上下方向に沿って配設される。この中方立２３は、壁厚方向に沿う幅寸法が、袖壁ユニット１を用いて形成される袖壁の壁厚に応じた幅寸法とされている。また、この中方立２３の壁厚方向背面側端面には、引戸３の手前側表面３ａに摺るように接する隙間遮蔽部材（モヘア部材）が上下方向に沿って設けられている。
【００１５】
上記構成とされた戸枠２は、上枠２０の長手方向の各端面を、各縦枠２１，２２の上端部内側面に突き合わせ、これら縦枠２１，２２の上端部の外側面からねじ等の止具を捩じ込んで、上枠２０と各縦枠２１，２２とを連結するようにしてもよい。また、上枠２０の上記切欠部に中方立２３の上端部を係合させ、ねじ等の止具を捩じ込んで、中方立２３を上枠２０に連結して、戸枠２を組み付けるようにしてもよい。
また、このように組み付けられた戸枠２は、図３に示すように、開口部４の内周面に沿わせるようにして固定される。図例では、開口部４の内周天面を構成する上枠下地６に沿わせるようにして上枠２０を固定し、開口部４の内周両側面を構成する左右の縦枠下地５，５に沿わせるようにして一対の縦枠２１，２２をそれぞれ固定した例を示している。なお、これら上枠２０及び一対の縦枠２１，２２は、各枠下地５，５，６に対して飼木などのスペーサー材を介して固定するようにしてもよい。また、中方立２３の下端部は、床下地（または床材）などの枠下地に固定するようにしてもよい。
【００１６】
引戸３は、上記構成とされた戸枠２にスライド自在に建て付けられる。本実施形態では、図１（ｂ）及び図２に示すように、引戸３の上端部の両側端部にランナー部材３ｂ，３ｂを連結固定している。これらランナー部材３ｂ，３ｂを介して引戸３が上枠２０の上吊レール２０ａにスライド自在に支持され、当該引戸３が上吊式で開閉される構成とされている。また、図１（ｂ）に示すように、床側には、引戸３のスライド移動をガイドするガイドピン２４が固定されている。引戸３の下端面には、このガイドピン２４を受け入れる凹溝３ｃが形成されている。
なお、戸枠２としては、図例のような下枠を備えない上吊式の戸枠（三方枠）に限られない。例えば、引戸の下端部に戸車を設け、この戸車をガイドする下レールを備えた下枠を更に備えた戸枠（四方枠）としてもよい。また、図例のような固定枠に限られず、ケーシング額縁を備えたいわゆるケーシング枠を戸枠として採用するようにしてもよい。
【００１７】
上記した引戸３が納められる袖壁の形成に用いられる袖壁ユニット１は、図１〜図３に示すように、袖壁の幅寸法（左右方向の寸法）Ｗに応じて互いに間隔を空けて配設される一対の縦枠材１１，１２を備えている。これら一対の縦枠材１１，１２のうちの一方の縦枠材１２は、戸尻側に配設される戸尻側縦枠材１２を構成し、他方の縦枠材１１は、中方立側に配設される中方立側縦枠材１１を構成する。また、これら一対の縦枠材１１，１２の互いに対向する内側面１１ａ，１２ａには、ダボ状突起１１ｂ，１２ｂがそれぞれに設けられている。
また、本実施形態では、袖壁ユニット１は、これら一対の縦枠材１１，１２の間に設けられる中間縦枠材１３を更に備えている。この中間縦枠材１３の各縦枠材１１，１２の内側面１１ａ，１２ａにそれぞれ対向する両側面１３ａ，１３ａには、ダボ状突起１３ｂ，１３ｂがそれぞれに設けられている。
【００１８】
これら縦枠材１１，１２，１３のダボ状突起１１ｂ，１２ｂ，１３ｂ，１３ｂは、それぞれ同高さ位置に設けられている。つまり、本実施形態では、隣り合う縦枠材１１，１２，１３の各対向側面１１ａ，１２ａ，１３ａ，１３ａの同高さ位置にダボ状突起１１ｂ，１２ｂ，１３ｂ，１３ｂをそれぞれ設けた構造としている。
また、これら縦枠材１１，１２，１３の各ダボ状突起１１ｂ，１２ｂ，１３ｂ，１３ｂは、略同様の略円柱形状とされ、各対向側面１１ａ，１２ａ，１３ａ，１３ａの厚さ方向（前後方向）略中央部位から略水平方向に突出するように設けられている。また、本実施形態では、これらダボ状突起１１ｂ，１２ｂ，１３ｂ，１３ｂを、各縦枠材１１，１２，１３の下端（または床下地面若しくは床面）から１７００〜１９００ｍｍの高さの範囲内に設けている。また、本実施形態では、図７（ｂ）に示すように、これらダボ状突起１１ｂ，１２ｂ，１３ｂ，１３ｂを、各縦枠材１１，１２，１３に捩じ込んで固定されたねじ状のダボ状突起１１ｂ，１２ｂ，１３ｂ，１３ｂとしている。なお、各ダボ状突起１１ｂ，１２ｂ，１３ｂ，１３ｂとしては、図例のような略円柱形状とされたものに限られず、略多角柱形状等、その他の形状とされたものとしてもよい。
【００１９】
各縦枠材１１，１２，１３は、上下に長尺の角材状とされ、高さ寸法（長さ寸法）及び厚さ寸法（前後寸法）が同寸法とされている。
中方立側縦枠材１１は、戸枠２の中方立２３の戸尻側側面に沿うようにして配設される構造とされている。
また、本実施形態では、戸尻側縦枠材１２は、戸枠２の戸尻側縦枠２２の手前側に配設され、この戸尻側縦枠２２と同様、戸尻側の縦枠下地５に沿うようにして配設される構造とされている。
【００２０】
また、戸尻側縦枠材１２は、この戸尻側縦枠２２の戸先側側面２２ａよりも戸先側に向けて突出するように設けられる構造とされている。本実施形態では、戸尻側縦枠材１２の反対向側面（戸尻側の縦枠下地５に向く面）にスペーサー部１２ｅを設けることで、当該戸尻側縦枠材１２に戸尻側縦枠２２の戸先側側面２２ａよりも戸先側に向けて突出するように設けられる部位（突出部位）を形成している。図例では、各縦枠材１１，１２，１３の幅寸法（左右寸法）を同寸法とし、戸尻側縦枠材１２の反対向側面に、複数のスペーサー材を固定してスペーサー部１２ｅを形成した例を示している。図例では、戸尻側縦枠材１２の長手方向略中央部位及び両端側部位のそれぞれにスペーサー材を固定してスペーサー部１２ｅ，１２ｅ，１２ｅを形成した例を示している。上記突出部位の幅寸法（左右寸法、突出寸法）は、該突出部位に対して当該戸尻側縦枠材１２の厚さ方向（前後方向）にねじや釘等の止具１９（図８等参照）の捩じ込み（または打ち込み）が可能な寸法とすればよい。換言すれば、戸尻側縦枠材１２に、このような止具１９の止代が形成されるように、戸尻側縦枠２２の戸先側側面２２ａよりも戸先側に向けて突出する突出部位を設けるようにしてもよい。なお、上記のように複数のスペーサー材を固定してスペーサー部１２ｅを形成する態様に代えて、スペーサー部１２ｅを一体的に戸尻側縦枠材１２に設ける態様としてもよい。または、戸尻側縦枠材１２自体の幅寸法（左右寸法）を大きくすることで、上記突出部位を形成する態様としてもよい。
【００２１】
また、本実施形態では、これら縦枠材１１，１２，１３の上下端部に、係合突片部１１ｃ，１１ｄ，１２ｃ，１２ｄ，１３ｃ，１３ｄをそれぞれに設けている。これら各係合突片部１１ｃ，１１ｄ，１２ｃ，１２ｄ，１３ｃ，１３ｄは、各縦枠材１１，１２，１３の厚さ方向（前後方向）略中央部位においてそれぞれ上下に突出するように設けられており、幅方向（左右方向）に沿って設けられている。
なお、これら縦枠材１１，１２，１３の高さ寸法は、当該袖壁ユニット１を用いて形成される袖壁の高さ寸法に応じて、適宜、設定するようにしてもよい。または、これら縦枠材１１，１２，１３の長手方向一端（例えば、上端）側に、当該袖壁ユニット１を用いて形成される袖壁の高さ寸法に応じて切断される余長部を設けておくようにしてもよい。このような余長部は、当該袖壁ユニット１を用いて形成される種々の袖壁の高さに対応可能なように設けておくようにしてもよい。
【００２２】
また、袖壁ユニット１は、隣り合う縦枠材１１，１２，１３間にそれぞれに架設される横桟材１４，１４となる横桟用角状材１４Ａ，１４Ａ（図７（ｂ）参照）を備えている。
これら横桟用角状材１４Ａ，１４Ａは、左右に長尺の角状材とされ、長さ寸法の調整が可能なように切断可能とされている。これら横桟用角状材１４Ａ，１４Ａの長さ寸法（左右寸法）は、当該袖壁ユニット１が用いられる袖壁の幅調整に対応可能なように、袖壁の必要となる調整幅（調整度合い）に応じて適宜設定しておくようにしてもよい。
また、これら横桟用角状材１４Ａ，１４Ａは、それぞれの厚さ寸法（前後寸法）が各縦枠材１１，１２，１３の厚さ寸法と同寸法とされている。また、本実施形態では、各横桟用角状材１４Ａ，１４Ａは、それぞれの切断前の長さ寸法（左右寸法）及び幅寸法（上下寸法）が略同寸法とされている。
【００２３】
また、これら横桟用角状材１４Ａ，１４Ａには、四周側面の一側面において開口する凹溝１４ｃ，１４ｃが長手方向の全長に亘って形成されている。本実施形態では、下向きに開口する凹溝１４ｃ，１４ｃを各横桟用角状材１４Ａ，１４Ａに設けている。
これら横桟用角状材１４Ａ，１４Ａは、図７（ｂ）に示すように、隣り合う縦枠材１１，１２，１３間の幅寸法Ｗ１，Ｗ１（図７参照）に応じて切断され、横桟材１４，１４となる。隣り合う縦枠材１１，１２，１３間の幅寸法Ｗ１，Ｗ１は、各縦枠材１１，１２，１３の幅寸法（左右寸法）及び袖壁の幅寸法Ｗ（図１（ａ）参照）に応じて適宜、設定される。図例では、中間縦枠材１３が左右方向略中央に位置するように、この中間縦枠材１３と、一対の縦枠材１１，１２のそれぞれとの間を略等間隔とした例を示しているが、このような態様に限られない。例えば、この中間縦枠材１３を、図示右側の戸尻側縦枠材１２に近接させた位置としたり、または、図示左側の中方立側縦枠材１１に近接させた位置としたりしてもよい。また、この中間縦枠材１３の配設位置に応じて、各横桟用角状材１４Ａ，１４Ａを切断するようにすればよい。
【００２４】
これら横桟材１４，１４の各凹溝１４ｃ，１４ｃの両側端部に隣り合う縦枠材１１，１２，１３のダボ状突起１１ｂ，１２ｂ，１３ｂ，１３ｂがそれぞれ嵌め込まれ、これら横桟材１４，１４が隣り合う縦枠材１１，１２，１３間に架設される。このように架設された状態では、これら横桟材１４，１４の長手方向両端面が隣り合う縦枠材１１，１２，１３の各対向側面１１ａ，１２ａ，１３ａ，１３ａに当接または近接配置される。また、このように架設された状態では、これら横桟材１４，１４の厚さ方向両側面１４ａ，１４ｂが各縦枠材１１，１２，１３の表裏面と略同一平面状となる。
【００２５】
また、本実施形態では、これら横桟材１４，１４が配設される部位において、袖壁下地１０の厚さ方向両側面１０ａ，１０ｂのそれぞれに固定された面材１７，１８の両方または一方が上下に分割された構造とされている。図例では、表裏の面材１７，１８のそれぞれが上下に分割された構造とされている。本実施形態では、上下に分割された各面材１７，１８の下側面材１７Ａ，１８Ａの上端部及び上側面材１７Ｂ，１８Ｂの下端部が止具１９を介して各横桟材１４，１４に固定可能なように、各横桟材１４，１４の幅寸法（上下寸法）を設定している。換言すれば、上下の面材１７Ａ，１７Ｂ，１８Ａ，１８Ｂの継ぎ目部位近傍に止具１９の止代が形成されるように各横桟材１４，１４の幅寸法（上下寸法）を設定している。
なお、横桟用角状材１４Ａ，１４Ａの凹溝１４ｃ，１４ｃの溝幅寸法（嵌め込まれた状態における前後寸法）は、ダボ状突起１１ｂ，１２ｂ，１３ｂ，１３ｂの前後寸法（径）に対応させた寸法とされている。この凹溝１４ｃ，１４ｃの溝幅寸法は、ダボ状突起の前後寸法（径）と略同寸法としてもよく、または、ダボ状突起の前後寸法（径）よりも僅かに小さい寸法若しくは僅かに大きい寸法としてもよい。
【００２６】
また、本実施形態では、袖壁ユニット１は、図５（ａ）に示すように、これら縦枠材１１，１２，１３の上端部同士を接続するように設けられる上枠材１５となる上枠用角状材１５Ａを備えている。また、袖壁ユニット１は、これら縦枠材１１，１２，１３の下端部同士を接続するように設けられる下枠材１６となる下枠用角状材１６Ａを備えている。
これら上枠用角状材１５Ａ及び下枠用角状材１６Ａは、左右に長尺の角状材とされ、長さ寸法の調整が可能なように切断可能とされている。これら上枠用角状材１５Ａ及び下枠用角状材１６Ａの長さ寸法（左右寸法）は、当該袖壁ユニット１が用いられる袖壁の幅調整に対応可能なように、袖壁の必要となる調整幅（調整度合い）に応じて適宜設定しておくようにしてもよい。
【００２７】
また、これら上枠用角状材１５Ａ及び下枠用角状材１６Ａは、それぞれの厚さ寸法（前後寸法）が各縦枠材１１，１２，１３の厚さ寸法と同寸法とされている。また、本実施形態では、上枠用角状材１５Ａ及び下枠用角状材１６Ａは、それぞれの切断前の長さ寸法（左右寸法）が略同寸法とされている。
また、これら上枠用角状材１５Ａ及び下枠用角状材１６Ａには、互いに向き合う方向に開口する受入溝１５ｃ，１６ｃが長手方向の全長に亘って形成されている。これら上下の受入溝１５ｃ，１６ｃの溝幅寸法（前後寸法）は、各縦枠材１１，１２，１３の各係合突片部１１ｃ，１１ｄ，１２ｃ，１２ｄ，１３ｃ，１３ｄの厚さ寸法（前後寸法）に対応させた寸法とされている。これら上下の受入溝１５ｃ，１６ｃの溝幅寸法（前後寸法）は、各係合突片部の前後寸法と略同寸法としてもよく、または、各係合突片部の前後寸法よりも僅かに小さい寸法若しくは僅かに大きい寸法としてもよい。
これら上下の受入溝１５ｃ，１６ｃに、各縦枠材１１，１２，１３の上下の係合突片部１１ｃ，１１ｄ，１２ｃ，１２ｄ，１３ｃ，１３ｄがそれぞれ長手方向に沿ってスライド自在に係合する構造とされている。
【００２８】
これら上枠用角状材１５Ａ及び下枠用角状材１６Ａは、図５（ａ）に示すように、袖壁の幅寸法Ｗ（図１（ａ）も参照）に応じて切断され、上下の枠材１５，１６となる。これら上下の枠材１５，１６は、それぞれの長手方向両端面が戸枠２の中方立２３の戸尻側側面及び戸尻側の縦枠下地５に当接または近接配置される。また、上下の枠材１５，１６の各受入溝１５ｃ，１６ｃに、各縦枠材１１，１２，１３の上下の係合突片部１１ｃ，１１ｄ，１２ｃ，１２ｄ，１３ｃ，１３ｄをそれぞれ嵌め込むようにして係合させ、各縦枠材１１，１２，１３が組み付けられる。これら縦枠材１１，１２，１３を組み付けた状態では、これら上下の枠材１５，１６の厚さ方向両側面１５ａ，１５ｂ，１６ａ，１６ｂが各縦枠材１１，１２，１３の表裏面と略同一平面状となる。
下枠材１６は、図５（ｂ）に示すように、床下地（または床材）に沿うようにして配設される構造とされている。
また、本実施形態では、上枠材１５は、図５（ｂ）に示すように、戸枠２の上枠２０の上記幅狭部の手前側に配設され、上枠２０と同様、上枠下地６に沿うようにして配設される構造とされている。
【００２９】
また、上枠材１５は、上枠２０の下面よりも下方側に向けて突出するように設けられる構造とされている。本実施形態では、上枠材１５の上面にスペーサー部１５ｄを設けることで、当該上枠材１５に上枠２０の下面よりも下方側に向けて突出するように設けられる部位（突出部位）を形成している。図例では、上下の枠材１５（１５Ａ），１６（１６Ａ）の幅寸法（上下寸法）を同寸法とし、上枠材１５（上枠用角状材１５Ａ）の上面に、複数のスペーサー材を固定してスペーサー部１５ｄを形成した例を示している。図例では、上枠材１５（上枠用角状材１５Ａ）の長手方向両端側部位のそれぞれにスペーサー材を固定してスペーサー部１５ｄ，１５ｄを形成した例を示している。上記突出部位の幅寸法（上下寸法、突出寸法）は、該突出部位に対して当該上枠材１５の厚さ方向（前後方向）にねじや釘等の止具１９（図８等参照）の捩じ込み（または打ち込み）が可能な寸法とすればよい。換言すれば、上枠材１５に、このような止具１９の止代が形成されるように、上枠２０の下面よりも下方側に向けて突出する突出部位を設けるようにしてもよい。なお、上記のように複数のスペーサー材を固定してスペーサー部１５ｄを形成する態様に代えて、スペーサー部１５ｄを一体的に上枠材１５（上枠用角状材１５Ａ）に設ける態様としてもよい。または、上枠材１５（上枠用角状材１５Ａ）自体の幅寸法（上下寸法）を大きくすることで、上記突出部位を形成する態様としてもよい。
【００３０】
また、戸枠２が下枠を備えている場合には、下枠材１６にも上記と略同様のスペーサー部を設けるようにしてもよい。
また、上記した各縦枠材１１，１２，１３、各横桟材１４（１４Ａ），１４（１４Ａ）及び上下の枠材１５（１５Ａ），１６（１６Ａ）は、木質系材料から形成されたものとしてもよい。木質系材料としては、合板やＬＶＬ（単板積層材）等の木質積層板、パーティクルボード等の木質ボード、またはインシュレーションボードやＭＤＦ（中密度繊維板）等の木質繊維板などを採用するようにしてもよい。
本実施形態では、各縦枠材１１，１２，１３、各横桟材１４（１４Ａ），１４（１４Ａ）及び上下の枠材１５（１５Ａ），１６（１６Ａ）は、繊維方向を長手方向に沿わせたＬＶＬを角材状に加工して形成されている。このような構成とすることで、寸法安定性に比較的に優れ、強度ばらつきが比較的に少なくなるため、袖壁の下地として好適なものとなる。
また、各縦枠材１１，１２，１３、各横桟材１４（１４Ａ），１４（１４Ａ）及び上下の枠材１５（１５Ａ），１６（１６Ａ）は、上記した木質系材料以外のものから形成するようにしてもよい。例えば、合成樹脂系材料に、木粉や無機フィラー、相溶化剤、着色剤などを所定の含有割合で含有させた木粉（木質）・プラスチック複合材（ＷＰＣ）や、その他の合成樹脂系材料、金属系材料等から形成されたものとしてもよい。
【００３１】
上記構成とされた各縦枠材１１，１２，１３、各横桟材１４，１４及び上下の枠材１５，１６によって袖壁下地１０が形成される。この袖壁下地１０の厚さ方向一側面（表面）１０ａとなる各縦枠材１１，１２，１３の表面、各横桟材１４，１４の表面１４ａ，１４ａ及び上下の枠材１５，１６の表面１５ａ，１６ａに表面側の面材１７が固定される。また、この袖壁下地１０の厚さ方向他側面（裏面）１０ｂとなる各縦枠材１１，１２，１３の裏面、各横桟材１４，１４の裏面１４ｂ，１４ｂ及び上下の枠材１５，１６の裏面１５ｂ，１６ｂに裏面側の面材１８が固定される。このように袖壁下地１０の表裏面（厚さ方向両側面）１０ａ，１０ｂのそれぞれに面材１７，１８が固定されて、全開状態とされた引戸３が納められる袖壁が形成される構造とされている。
【００３２】
これら表裏の面材１７，１８としては、無垢材や上記同様の木質系材料、無機質系材料、合成樹脂系材料等を板状に加工したものとしてもよい。また、それぞれの外側表面に、合成樹脂化粧シートや化粧紙、クロス等の化粧シートまたは突板等の表面化粧材を貼着するようにしてもよい。本実施形態では、これら面材１７，１８を、石膏ボードからなるものとしている。
これら表面側ボード１７及び裏面側ボード１８は、本実施形態では、それぞれ袖壁の幅寸法Ｗに応じた幅寸法とされている。これら表面側ボード１７及び裏面側ボード１８は、その戸先側端面を戸枠２の中方立２３の戸尻側側面に当接させるようにして配設される。
また、本実施形態では、一方の面材としての裏面側ボード１８は、その戸尻側端部（一側端部）１８ａが戸尻側縦枠２２に当該ボード１８の厚さ方向で重合するように戸尻側縦枠２２に厚さ方向一方面（背面）を当接させるようにして固定される構造とされている。
【００３３】
また、これら表面側ボード１７及び裏面側ボード１８は、上記したように、横桟材１４，１４が配設される部位において上下に分割されている。
これら表面側ボード１７及び裏面側ボード１８の各下側ボード１７Ａ，１８Ａは、下端面を床下地（または床材）に当接させるようにして配設され、それぞれの上端部が横桟材１４，１４に固定される。これら下側ボード１７Ａ，１８Ａの高さ寸法としては、一般的な合板や石膏ボード等の高さ寸法である６尺（１８２０ｍｍ）前後としてもよい。
これら表面側ボード１７及び裏面側ボード１８の各上側ボード１７Ｂ，１８Ｂは、それぞれの下端面を各下側ボード１７Ａ，１８Ａの上端面に当接させるようにして配設され、それぞれの下端部が横桟材１４，１４に固定される。裏面側ボード１８の上側ボード１８Ｂは、その上端面を上枠下地６の下側面に当接させるようにして配設される。これら上側ボード１７Ｂ，１８Ｂは、袖壁の高さ寸法に応じて適宜、切断されたものとしてもよい。
【００３４】
上記のように袖壁下地１０の表裏面１０ａ，１０ｂにそれぞれ各ボード１７，１８が固定されて形成された袖壁は、図１（ａ）に示すように、開口部４の戸尻側の内側面から戸先側に向けて突出するように配設される。また、裏面側ボード１８に、引き込まれた状態の引戸３の手前側表面３ａが対面するように配設される。
本実施形態では、図１（ａ）に示すように、袖壁の幅寸法Ｗを、開口部４の戸尻側の縦枠下地５の内側面から中方立２３の戸尻側側面までの幅寸法と略同寸法としている。また、この袖壁の厚さ寸法は、建物内の内壁７自体の壁厚に応じて設定され、それに応じて袖壁下地１０の厚さ寸法を、表裏面１０ａ，１０ｂに固定される表面側ボード１７及び裏面側ボード１８の厚さを加味して設定するようにすればよい。つまりは、一般的な壁厚に応じて規定される袖壁の厚さ寸法に応じた寸法となるように、その表裏に固定される各ボード１７，１８の厚さ寸法を加味して、袖壁下地１０の厚さ寸法を設定するようにしてもよい。
【００３５】
また、本実施形態では、袖壁下地１０とその裏面１０ｂに固定された裏面側ボード１８とを合わせた厚さ寸法を、図１（ａ）に示すように、開口部４に固定された戸尻側縦枠２２の壁厚方向手前側端面から縦枠下地（内壁の下地ともなる下地）５の手前側表面までの壁厚方向の寸法と略同寸法としている。つまりは、袖壁下地１０の裏面１０ｂに固定された裏面側ボード１８の背面を戸尻側縦枠２２の壁厚方向手前側端面に当接させた状態で、この袖壁下地１０の表面１０ａが縦枠下地５の手前側表面と略同一平面状となるように形成されている。
【００３６】
次に、本実施形態に係る袖壁構造の施工手順の一例について説明する。
まず、上述したように戸枠２を、開口部４に配設する（図３及び図４参照）。
次いで、図４に示すように、裏面側ボード１８を配設する。この裏面側ボード１８は、その幅寸法が、袖壁の幅寸法Ｗに応じた寸法となるように切断されて調整されたものとしてもよい。なお、この裏面側ボード１８は、その戸尻側端部１８ａを、戸尻側縦枠２２にねじや釘等の止具１９によって固定（仮固定）するようにしてもよい。また、裏面側ボード１８の上側ボード１８Ｂの上端部は、上枠２０にねじや釘等の止具１９によって固定（仮固定）するようにしてもよい（図５（ｂ）も参照）。また、中方立２３の戸尻側側面に、裏面側ボード１８の中方立側端部を受け入れる凹溝を設け、該凹溝に裏面側ボード１８の中方立側端部を嵌め入れてこの裏面側ボード１８を配設するようにしてもよい。
【００３７】
次いで、図５（ａ）に示すように、袖壁の幅寸法Ｗ（図４（ｂ）参照）に応じた寸法となるように上枠用角状材１５Ａ及び下枠用角状材１６Ａの長さ寸法を調整して切断する。この際、上記のように上枠用角状材１５Ａの長手方向両端側部位にスペーサー部１５ｄ，１５ｄが設けられている場合には、長手方向両端側を均等に切断して長さ寸法を調整するようにしてもよい。
そして、これら上枠用角状材１５Ａ及び下枠用角状材１６Ａを切断して形成された上下の枠材１５，１６を配設する。この際、本実施形態では、裏面側ボード１８が配設された状態で、上下の枠材１５，１６を配設するようにしている。そのため、裏面側ボード１８の手前面（厚さ方向他方面）に、上下の枠材１５，１６の各背面を当接させて沿わせるようにしてこれら上下の枠材１５，１６を配設することができ、これら上下の枠材１５，１６の前後方向の位置合わせを容易に行うことができる（図５（ｂ）も参照）。なお、上枠材１５は、図５（ａ）に示すように、ねじや釘等の止具１９によって上枠下地６に固定するようにしてもよい。この際、上記のようなスペーサー部１５ｄ，１５ｄを設けた場合には、これらスペーサー部１５ｄ，１５ｄが設けられた部位に止具１９を捩じ込む（または打ち込む）ようにしてもよい。また、下枠材１６は、止具１９によって床下地（または床材）に固定するようにしてもよい。
【００３８】
上記のように上下の枠材１５，１６が固定された状態では、図５（ｂ）に示すように、これら上下の枠材１５，１６の各受入溝１５ｃ，１６ｃが互いに向き合う方向に開口した状態となる。
次いで、図６（ａ）、（ｂ）に示すように、一対の縦枠材１１，１２の上下の係合突片部１１ｃ，１１ｄ，１２ｃ，１２ｄをそれぞれ上下の枠材１５，１６の各受入溝１５ｃ，１６ｃに嵌め入れ、これら一対の縦枠材１１，１２を配設する。この際、まず、各縦枠材１１，１２を傾斜させた状態で、各縦枠材１１，１２の上端係合突片部１１ｃ，１２ｃを上枠材１５の受入溝１５ｃに嵌め入れる。そして、各縦枠材１１，１２の下端係合突片部１１ｄ，１２ｄを下枠材１６の受入溝１６ｃの長手方向に沿ってスライドさせるようにして各縦枠材１１，１２を傾斜させた状態から起立させて各下端係合突片部１１ｄ，１２ｄを下枠材１６の受入溝１６ｃに嵌め入れるようにしてもよい。この際、上記と略同様、裏面側ボード１８の手前面（厚さ方向他方面）に、各縦枠材１１，１２の背面を当接させて沿わせるようにしてこれら縦枠材１１，１２をスムーズに配設することができる。
【００３９】
なお、中方立側縦枠材１１は、図６（ｃ）に示すように、ねじや釘等の止具１９によって中方立２３に固定するようにしてもよい。また、戸尻側縦枠材１２は、止具１９によって戸尻側の縦枠下地５に固定するようにしてもよい。この際、上記のようなスペーサー部１２ｅ，１２ｅ，１２ｅを設けた場合には、これらスペーサー部１２ｅ，１２ｅ，１２ｅが設けられた部位に止具１９を捩じ込む（または打ち込む）ようにしてもよい。
【００４０】
また、上記同様にして、中間縦枠材１３の上下の係合突片部１３ｃ，１３ｄをそれぞれ上下の枠材１５，１６の各受入溝１５ｃ，１６ｃに嵌め入れ、図７（ａ）に示すように、中間縦枠材１３を配設する（図６（ａ）、（ｂ）も参照）。図例では、上記したように、この中間縦枠材１３とその左右の縦枠材１１，１２のそれぞれとの間の幅寸法Ｗ１，Ｗ１が互いに同寸法となるように、中間縦枠材１３を一対の縦枠材１１，１２の間の略中央に配設した例を示している。
なお、袖壁の高さ寸法に応じて、これら縦枠材１１，１２，１３を切断する場合には、例えば、上端側を切断するようにしてもよい。この場合には、各縦枠材１１，１２，１３の下端係合突片部１１ｄ，１２ｄ，１３ｄを下枠材１６の受入溝１６ｃに嵌め入れるようにしてもよい。また、この場合は、中間縦枠材１３の上端側を、上枠材１５に上記同様の止具によって固定するようにしてもよい。
【００４１】
上記のように各縦枠材１１，１２，１３が配設された状態では、図７（ａ）に示すように、各縦枠材１１，１２，１３に設けられた各ダボ状突起１１ｂ，１２ｂ，１３ｂ，１３ｂが同高さ位置となる。
次いで、図７（ｂ）に示すように、隣り合う縦枠材１１，１２，１３間の幅寸法Ｗ１，Ｗ１に応じた寸法となるように横桟用角状材１４Ａ，１４Ａの長さ寸法を調整して切断する。上記のように中間縦枠材１３を略中央に配設した場合には、袖壁の幅寸法Ｗから各縦枠材１１，１２，１３の幅寸法（左右寸法）を引いた寸法の１／２が幅寸法Ｗ１となる。
【００４２】
そして、これら横桟用角状材１４Ａ，１４Ａを切断して形成された横桟材１４，１４を配設する。これら横桟材１４，１４の凹溝１４ｃ，１４ｃの両側端部に、隣り合う縦枠材１１，１２，１３に設けられた各ダボ状突起１１ｂ，１２ｂ，１３ｂ，１３ｂをそれぞれ嵌め込み、これら横桟材１４，１４を隣り合う縦枠材１１，１２，１３間に架設する。この際、本実施形態では、裏面側ボード１８が配設された状態で、横桟材１４，１４を配設するようにし、また、各横桟材１４，１４の凹溝１４ｃ，１４ｃを上下方向の一方（図例では下向き）に開口したものとしている。そのため、上記同様、裏面側ボード１８の手前面に、各横桟材１４，１４の各背面を当接させて沿わせるようにしてこれら横桟材１４，１４を配設することができる。この結果、これら横桟材１４，１４の前後方向の位置合わせを容易に行うことができ、また、各横桟材１４，１４の凹溝１４ｃ，１４ｃへの各ダボ状突起１１ｂ，１２ｂ，１３ｂ，１３ｂの嵌め込みを比較的に容易に行うことができる。また、各横桟材１４，１４の凹溝１４ｃ，１４ｃを下向きに開口したものとしている。従って、隣り合う縦枠材１１，１２，１３の各ダボ状突起１１ｂ，１２ｂ，１３ｂ，１３ｂを各横桟材１４，１４の凹溝１４ｃ，１４ｃにそれぞれ嵌め込んだ状態において各横桟材１４，１４が脱落等し難くなり、施工性を向上させることができる。
【００４３】
なお、これら横桟材１４，１４は、各縦枠材１１，１２，１３に、釘やねじ等の止具若しくは接着剤等の固定連結手段で固定連結するようにしてもよい。または、各横桟材１４，１４の表面１４ａ，１４ａ及び裏面１４ｂ，１４ｂには、表裏のボード１７，１８が当接され、これら横桟材１４，１４の移動が抑制される。従って、各横桟材１４，１４を各縦枠材１１，１２，１３に止具等によって固定しないようにしてもよい。
上記のように横桟材１４，１４が組み付けられた状態では、図７（ｂ）に示すように、各縦枠材１１，１２，１３、各横桟材１４，１４及び上下の枠材１５，１６によって袖壁下地１０が形成される。また、この袖壁下地１０の裏面１０ｂには、裏面側ボード１８が当接配置された状態となる。
【００４４】
次いで、図８に示すように、袖壁下地１０の表面１０ａ（図１参照）に、表面側ボード１７を固定する。この表面側ボード１７は、その幅寸法が、袖壁の幅寸法Ｗに応じた寸法となるように切断されて調整されたものとしてもよい。また、表面側ボード１７の下側ボード１７Ａは、図８に示すように、その四周側端部を左右の縦枠材１１，１２、横桟材１４，１４及び下枠材１６に止具１９によって固定するようにしてもよい。この際、下側ボード１７Ａの戸尻側端部は、戸尻側縦枠材１２の上記突出部位に止具１９を捩じ込んで（または打ち込んで）固定するようにしてもよい。また、この下側ボード１７Ａの幅方向略中央部位を中間縦枠材１３に止具１９によって固定するようにしてもよい。また、表面側ボード１７の上側ボード１７Ｂは、図８に示すように、その四周側端部を左右の縦枠材１１，１２、上枠材１５及び横桟材１４，１４に止具１９によって固定するようにしてもよい。この際、上記同様、上側ボード１７Ｂの戸尻側端部は、戸尻側縦枠材１２の上記突出部位に止具１９を捩じ込んで（または打ち込んで）固定するようにしてもよい。また、上側ボード１７Ｂの上端部は、上枠材１５の上記突出部位に止具１９を捩じ込んで（または打ち込んで）固定するようにしてもよい。
【００４５】
また、表面側ボード１７と同様にして裏面側ボード１８の上側ボード１８Ｂ及び下側ボード１８Ａをそれぞれ袖壁下地１０の裏面１０ｂに、止具１９によって固定するようにしてもよい。この際、裏面側ボード１８の上側ボード１８Ｂ及び下側ボード１８Ａの戸尻側端部１８ａを、その背面側から戸尻側縦枠材１２の上記した止代を構成する突出部位に対して止具１９を捩じ込んで（または打ち込んで）固定するようにしてもよい。また、この際、裏面側ボード１８の上側ボード１８Ｂの上端部を、その背面側から上枠材１５の上記した止代を構成する突出部位に対して止具１９を捩じ込んで（または打ち込んで）固定するようにしてもよい。
【００４６】
また、開口部４の周囲の壁下地に、内壁７を形成する石膏ボード等の壁面材８を固定する（図１参照）。このように壁面材８を固定した状態では、袖壁を構成する表面側ボード１７と、これに隣接する壁面材８とが、連なるように略面一状となる。そして、必要に応じて、袖壁の手前面及び背面並びに各壁面材８の表面に壁クロス等の表面化粧材を貼着するようにしてもよい。この状態では、図１（ａ）に示すように、開口部４の戸尻側には、引戸３のスライドスペース（走行スペース）の手前側に位置するように、袖壁が形成される。一方、開口部４の戸先側には、引戸３によって開閉される出入り口としての開口が形成される。そして、適宜、引戸３を、戸枠２に対して建て付けることで、袖壁納めの引戸構造となる。
また、図１に示すように、袖壁の手前面の下端部及び各壁面材８の下端部に巾木９を固定するようにしてもよい。
【００４７】
なお、上記施工手順は一例に過ぎず、各部材の機能を阻害しない限りにおいて別手順で行うようにしてもよい。例えば、各縦枠材１１，１２，１３、各横桟材１４，１４及び上下の枠材１５，１６の一部若しくは全部を組み付けて袖壁下地１０となる枠状体とし、この枠状体の裏面を裏面側ボード１８に当接させるようにして配設する態様としてもよい。または、上記枠状体の裏面に裏面側ボード１８若しくは上記枠状体の表裏面のそれぞれに表裏のボード１７，１８を固定して袖壁体とし、この袖壁体を配設する態様としてもよい。
また、上記した例では、表面側ボード１７の幅寸法及び高さ寸法を、袖壁の幅寸法Ｗ及び高さ寸法に応じた寸法とした例を示しているが、このような態様に限られない。例えば、袖壁下地１０の表面１０ａ側に固定するボードを、壁面材８によって一連状に構成する態様としてもよい。つまりは、袖壁下地１０に応じた寸法の表面側ボード１７を表面１０ａに固定する態様に代えて、内壁７を形成する壁面材８によって袖壁下地１０の表面１０ａ側の面材を構成するようにしてもよい。
【００４８】
上記構造とされた袖壁構造によれば、幅寸法の調整が可能でありながらも強度を向上させることができる。
つまり、長さ寸法の調整が可能なように切断可能とされた横桟用角状材１４Ａを切断して形成された横桟材１４を一対の縦枠材１１，１２間に架設して袖壁下地１０が形成された構造とされている。従って、この袖壁下地１０の幅寸法の調整が可能となり、当該袖壁下地１０を用いて形成される袖壁の幅寸法の違いに対応することができる。
また、一対の縦枠材１１，１２間に横桟材１４を架設しているので、これら縦枠材１１，１２間の強度を向上させることができ、袖壁の強度を向上させることができる。
また、本実施形態では、一対の縦枠材１１，１２間に中間縦枠材１３を更に設けた構造とし、隣り合う縦枠材１１，１２，１３間に、横桟材１４，１４を架設した構造としている。従って、袖壁下地１０の強度をより向上させることができ、袖壁の強度をより向上させることができる。
【００４９】
また、各縦枠材１１，１２，１３にダボ状突起１１ｂ，１２ｂ，１３ｂ，１３ｂを設け、横桟材１４，１４にこれら縦枠材１１，１２，１３のダボ状突起１１ｂ，１２ｂ，１３ｂ，１３ｂが嵌め込まれる凹溝１４ｃ，１４ｃを設けた構造としている。従って、長さ寸法の調整が可能でありながらも、横桟材１４，１４を容易に縦枠材１１，１２，１３に組み付けることができ、施工性を向上させることができる。また、横桟材１４，１４は、各縦枠材１１，１２，１３と同厚さとされ、その厚さ方向両側面１４ａ，１４ｂに表裏の面材（表面側ボード及び裏面側ボード）１７，１８が当接されるようにして固定された構造とされている。従って、横桟材１４，１４を縦枠材１１，１２，１３に組み付け、表裏の面材１７，１８を固定した状態では、横桟材１４，１４がダボ状突起１１ｂ，１２ｂ，１３ｂ，１３ｂ廻りに回動するようなことがない。そのため、比較的に強固に横桟材１４，１４を縦枠材１１，１２，１３に組み付けることができる。また、この結果、横桟材１４，１４と縦枠材１１，１２，１３とを連結固定する止具等を不要とすることもでき、この場合には、施工性をより向上させることができる。
【００５０】
また、本実施形態では、各縦枠材１１，１２，１３のダボ状突起１１ｂ，１２ｂ，１３ｂ，１３ｂを、これら縦枠材１１，１２，１３の下端から１７００〜１９００ｍｍの高さの範囲内に設けている。また、横桟材１４，１４が配設される部位において、袖壁下地１０の表裏面１０ａ，１０ｂのそれぞれに固定された面材１７，１８の両方または一方（本実施形態では両方）が上下に分割された構造とされている。上記のように一般的な高さ寸法が６尺（１８２０ｍｍ）程度とされている合板や石膏ボード等によって表面側ボード１７及び裏面側ボード１８を形成する場合には、上記のように複数枚のボード１７Ａ，１７Ｂ，１８Ａ，１８Ｂを上下に並べて設ける必要がある。上記構成とされた本実施形態に係る袖壁構造によれば、下側ボード１７Ａ，１８Ａの高さ寸法を調整することなく配設することができる。また、下側ボード１７Ａ，１８Ａの上側に、高さ寸法（上下寸法）を調整した上側ボード１７Ｂ，１８Ｂを設けた際に、その継ぎ目部位に、横桟材１４，１４が配設されることとなる。これにより、横桟材１４，１４に対して上下に分割された各ボード１７Ａ，１７Ｂ，１８Ａ，１８Ｂの突き合わせられる互いの端部をねじや釘等の止具１９によって固定することができる。この結果、これらボード１７Ａ，１７Ｂ，１８Ａ，１８Ｂの浮きやがたつき、反り等を抑制することができる。また、別途に下地材等を配設するものと比べて、簡易な構造となり、施工性を向上させることができる。つまり、本実施形態においては、横桟材１４，１４は、袖壁の強度を向上させる機能を有するとともに、上下に分割された面材の固定下地としての機能をも有することとなる。
【００５１】
また、本実施形態では、各縦枠材１１，１２，１３の上端部同士を接続するように上枠材１５を設け、各縦枠材１１，１２，１３の下端部同士を接続するように下枠材１６を設けた構造としている。従って、袖壁下地１０の強度をより向上させることができ、袖壁の強度をより向上させることができる。
また、袖壁の上端部及び下端部に、例えば、廻り縁や巾木９等の造作材を取り付ける際に、これら上下の枠材１５，１６を取付下地とすることができるので、造作材の取付性を向上させることができる。また、このような取付下地を別途、配設するような場合と比べて、施工性を向上させることができる。
さらに、これら上下の枠材１５，１６には、互いに向き合う方向に開口する受入溝１５ｃ，１６ｃが長手方向に沿って形成されている。また、各縦枠材１１，１２，１３の上下端部には、上下の枠材１５，１６の各受入溝１５ｃ，１６ｃにそれぞれ長手方向に沿ってスライド自在に係合する係合突片部１１ｃ，１１ｄ，１２ｃ，１２ｄ，１３ｃ，１３ｄがそれぞれ形成されている。従って、各縦枠材１１，１２，１３を上下の枠材１５，１６に対して容易に組み付けることができ、強度の向上が可能でありながらも施工性を向上させることができる。
【００５２】
また、本実施形態では、裏面側ボード１８は、その戸尻側端部１８ａが戸尻側縦枠２２に当該裏面側ボード１８の厚さ方向で重合するように戸尻側縦枠２２に背面を当接させるようにして固定された構造とされている。従って、裏面側ボード１８の戸尻側端部１８ａが直線状に切断されていないような場合にも、戸尻側縦枠２２によって、その戸尻側端部１８ａが隠蔽されて露出せず見栄えを阻害することがない。換言すれば、袖壁の裏面側ボード１８の戸尻側端部１８ａ側を、精度良く加工する必要がなく、袖壁の施工性をより向上させることができる。
また、戸尻側縦枠材１２は、裏面側ボード１８の手前面に沿うように固定される。また、戸尻側縦枠材１２は、裏面側ボード１８の戸尻側端部１８ａを背面側から当該戸尻側縦枠材１２に固定する止具１９の止代を形成するように戸尻側縦枠２２の戸先側側面２２ａよりも戸先側に向けて突出するように設けられた構造とされている。従って、裏面側ボード１８の戸尻側端部１８ａを戸尻側縦枠２２に厚さ方向で重合するように固定した場合にも、この裏面側ボード１８の戸尻側端部１８ａを、その背面側から戸尻側縦枠材１２に対して固定することができる。これにより、袖壁下地１０を構成する戸尻側縦枠材１２と裏面側ボード１８とを容易に固定することができ、この裏面側ボード１８の浮きやがたつき、反り等を抑制することができる。
【００５３】
さらに、本実施形態では、裏面側ボード１８（上側ボード１８Ｂ）は、その上端部が上枠２０に当該裏面側ボード１８（上側ボード１８Ｂ）の厚さ方向で重合するように上枠２０に背面を当接させるようにして固定された構造とされている。従って、上記同様、裏面側ボード１８（上側ボード１８Ｂ）の上端部が直線状に切断されていないような場合にも、上枠２０によって、その上端部が隠蔽されて露出せず見栄えを阻害することがない。
また、上枠材１５は、裏面側ボード１８の手前面に沿うように固定される。また、上枠材１５は、裏面側ボード１８（上側ボード１８Ｂ）の上端部を背面側から当該上枠材１５に固定する止具１９の止代を形成するように上枠２０の下面よりも下方側に向けて突出するように設けられた構造とされている。従って、裏面側ボード１８（上側ボード１８Ｂ）の上端部を上枠２０に厚さ方向で重合するように固定した場合にも、上記同様、この裏面側ボード１８（上側ボード１８Ｂ）の上端部を、その背面側から上枠材１５に対して固定することができる。これにより、袖壁下地１０を構成する上枠材１５と裏面側ボード１８（上側ボード１８Ｂ）とを容易に固定することができ、この裏面側ボード１８（上側ボード１８Ｂ）の浮きやがたつき、反り等を抑制することができる。
【００５４】
なお、上記した例では、袖壁下地１０の高さ寸法と、その表裏１０ａ，１０ｂのそれぞれに固定されるボード１７，１８の高さ寸法を略同寸法とした例を示しているが、このような態様に限られない。例えば、裏面側ボード１８の上端面が上枠２０の下面に当接するように、裏面側ボード１８の高さ寸法を設定するようにしてもよい。この場合は、裏面側ボード１８の戸尻側端面を戸尻側縦枠２２の戸先側側面２２ａに当接させるようにしてもよい。また、この場合は、袖壁下地１０の裏面１０ｂを、上枠２０及び戸尻側縦枠２２の手前側端面に当接させるようにしてもよい。
また、上記した例では、袖壁下地１０の高さ寸法を開口部４の開口高さに応じた寸法とした例を示しているが、このような態様に限られず、少なくともその上端部が上枠２０の一部に正面視して重合（厚さ方向で重合）するような高さ寸法としてもよい。この場合には、袖壁下地１０の上枠材１５を上枠２０に対して固定するようにしてもよい。
【００５５】
さらに、図例では、開口部４の上側に垂れ壁を形成するように開口部４を設けた例を示しているが（図２参照）、床面から天井面に略至る高さ寸法とされた開口部４に袖壁下地１０（袖壁ユニット１）を用いて袖壁を形成する態様としてもよい。
さらにまた、上記した例では、片引きの一枚の引戸３を納める袖壁構造とした例を示しているが、このような態様に限られない。例えば、複数枚の引戸を納める袖壁構造としてもよく、また、両引き（引き分け）の引戸をそれぞれに納める袖壁構造として開口部の両側にそれぞれ設けるようにしてもよい。
【００５６】
また、上記した例では、各縦枠材１１，１２，１３のダボ状突起１１ｂ，１２ｂ，１３ｂ，１３ｂを、これら縦枠材１１，１２，１３の下端から１７００〜１９００ｍｍの高さの範囲内に設けた例を示しているが、他の高さに設けるようにしてもよい。この場合は、横桟材１４，１４が配設される部位において、袖壁下地１０の表裏面１０ａ，１０ｂのそれぞれに固定された面材１７，１８の両方または一方が上下に分割されている構造としてもよく、または、他の部位において上下に分割されている構造としてもよい。さらには、面材１７，１８の両方または一方を、上下に分割されていないものとしてもよい。
【００５７】
さらに、上記した例では、縦枠材１１，１２，１３間にそれぞれ一本の横桟材１４，１４を設けた例を示しているが、縦枠材１１，１２，１３間にそれぞれ複数本の横桟材を上下方向に間隔を空けて設けた態様としてもよい。この場合には、横桟材の本数に応じた個数のダボ状突起を、各縦枠材１１，１２，１３の各対向側面１１ａ，１２ａ，１３ａ，１３ａのそれぞれに設けるようにしてもよい。
さらにまた、上記した例では、横桟材１４，１４の凹溝１４ｃ，１４ｃを横桟材１４，１４の下側面において開口したものとした例を示しているが、このような態様に限られない。横桟材１４，１４の上側面、表面１４ａ若しくは裏面１４ｂにおいて開口した凹溝１４ｃ，１４ｃとしてもよい。
【００５８】
また、上記した例では、上下の枠材１５，１６に受入溝１５ｃ，１６ｃを設け、各縦枠材１１，１２，１３に係合突片部１１ｃ，１１ｄ，１２ｃ，１２ｄ，１３ｃ，１３ｄを設けた例を示しているが、このような態様に限られない。例えば、上下の枠材１５，１６に、互いに対向する方向に沿って突出する係合突片部を長手方向の全長に亘って設け、各縦枠材１１，１２，１３に、該係合突片部を受け入れる受入溝を幅方向（左右方向）の全長に亘って設けた態様としてもよい。さらには、このような係合突片部と受入溝とによってスライド自在に係合させる態様に代えて、いわゆるけんどん式で各縦枠材と上下の枠材とを係合させる態様としてもよい。または、このように係合させて各縦枠材と上下の枠材とを組み付ける態様に代えて、適宜の固定連結手段によって各縦枠材と上下の枠材とを組み付ける態様としてもよい。
【００５９】
さらに、上記した例では、上下の枠材１５，１６を、長さ寸法の調整が可能なように切断可能とされた上枠用角状材１５Ａ及び下枠用角状材１６Ａを切断して形成した例を示しているが、このような態様に限られない。例えば、これら上下の枠材１５，１６の両方または一方の長さ寸法が、袖壁の幅寸法Ｗに応じて予め適宜の寸法とされているものとしてもよい。
さらにまた、上記した例では、上下の枠材１５，１６の間に各縦枠材１１，１２，１３を設けるようにした例を示しているが、横桟材１４，１４と略同様にして隣り合う縦枠材１１，１２，１３間に上下の枠材１５，１６を設けるようにしてもよい。
また、上記した例では、上枠材１５にスペーサー部１５ｄを設けて上記突出部位を設けた例を示しているが、このような突出部位を設けない構造としてもよい。
さらには、このような上下の枠材１５，１６の両方または一方を設けないようにしてもよい。
【００６０】
また、上記した例では、戸尻側縦枠材１２にスペーサー部１２ｅを設けて上記突出部位を設けた例を示しているが、このような突出部位を設けない構造としてもよい。
さらに、上記した例では、一対の縦枠材１１，１２の間に一本の中間縦枠材１３を設けた例を示しているが、複数本の中間縦枠材を設けるようにしてもよい。この場合には、縦枠材の本数及び縦枠材間の寸法に応じた複数本の横桟材１４を設けるようにすればよい。さらには、このような中間縦枠材１３を設けないようにしてもよい。この場合には、一対の縦枠材１１，１２間に横桟材１４を架設するようにすればよい。
【符号の説明】
【００６１】
３              引戸
１０            袖壁下地
１０ａ          袖壁下地の表面（厚さ方向一側面）
１０ｂ          袖壁下地の裏面（厚さ方向他側面）
１１            中方立側縦枠材（縦枠材）
１２            戸尻側縦枠材（一方の縦枠材）
１１ａ，１２ａ  内側面
１１ｂ，１２ｂ  ダボ状突起
１１ｃ，１２ｃ  上端係合突片部（係合突片部）
１１ｄ，１２ｄ  下端係合突片部（係合突片部）
１４            横桟材
１４Ａ          横桟用角状材
１４ａ          横桟材の表面（厚さ方向一側面）
１４ｂ          横桟材の裏面（厚さ方向他側面）
１４ｃ          凹溝
１５            上枠材
１５ｃ          受入溝
１６            下枠材
１６ｃ          受入溝
１７            表面側ボード（面材）
１８            裏面側ボード（一方の面材）
１８ａ          戸尻側端部（一側端部）
１９            止具
２２            戸尻側縦枠（戸縦枠）
２２ａ          戸先側側面
Ｗ              袖壁の幅寸法
【図１】
0005793687.tif 000002
【図２】
0005793687.tif 000003
【図３】
0005793687.tif 000004
【図４】
0005793687.tif 000005
【図５】
0005793687.tif 000006
【図６】
0005793687.tif 000007
【図７】
0005793687.tif 000008
【図８】
0005793687.tif 000009